(57)【要約】【課題】パネル表示効果の高いパネル装置を提供する。【解決手段】複数本支柱５を立て、支柱５の下部に支持部材７ｆをセットし、支持部材７ｆの上に下段小パネル１を載せ、下段小パネル１の上に支持部材７ｄをセットし、支持部材７ｄの上に中段小パネル１を載せ、支柱５の上に支持部材７ａをセットし、支持部材７ａを通して中段小パネル１の上に上段小パネル１を載せ、上段小パネル１の上端角部どうしを連結部材６ａで連結して平面状パネル部を構成したことを特徴とする。【選択図】図１
2017110482.tif 000002
【特許請求の範囲】
【請求項１】
少なくとも上下方向に下段、中段、上段の複数段、ならびに左右方向に複数列配置される小パネルと、
配置される前記下段と中段の小パネルの合計の高さよりも高く、個々の前記小パネルの横幅と略同寸の等間隔で立設されて、外周部に上下方向に延びた溝状係止部を有する複数本の支柱と、
前記下段の小パネルの前方への倒れを防止する倒れ防止部と、前記倒れ防止部の裏面の中間位置から後方に延びた連結部と、前記連結部の後端に取り付けられて上下方向に延びた係止部と、前記連結部の下部から左右水平方向に延びた小パネル角受け部から構成されて、前記倒れ防止部と前記係止部の間に小パネル端部挿通部が形成された下部中間支持部材と、
隣接して配置される前記下段と中段の合計４枚の小パネルの前方への倒れを防止する倒れ防止部と、前記倒れ防止部の裏面上下方向ならびに左右方向の中間位置から後方に延びた連結部と、前記連結部の後端に取り付けられて上下方向に延びた係止部と、前記連結部を間にして左右水平方向に延びた上下左右仕切り部から構成されて、前記上下左右仕切り部を間にして前記倒れ防止部と前記係止部の間に小パネル端部挿通部が形成された中間部中間支持部材と、
前記上段の小パネルの前方への倒れを防止する倒れ防止部と、前記倒れ防止部の裏面中間位置から後方に延びた連結部と、前記連結部の後端に取り付けられて上下方向に延びた係止部と、前記係止部の上端に水平方向に取り付けられた載置部から構成されて、前記倒れ防止部と前記載置部の間に小パネル端部挿通部が形成された上部中間支持部材と、
上面部と、前記上面部の両端から垂下した２枚の垂下部から構成されている側面形状が略コ字形の中間連結部材を備えて、
前記複数本の支柱を前記小パネルの横幅と略同寸の間隔で配置立設し、
各支柱の下部に前記下部中間支持部材をセットして、前記下部中間支持部材の係止部を前記支柱の溝状係止部と係合し、
配置された２個の前記下部中間支持部材の間に前記下段の小パネルの下部を挿入し、前記下段の小パネルの下側両角部を前記下部中間支持部材の小パネル端部挿通部を通して前記小パネル角受け部上にそれぞれ載せて前記倒れ防止部と対向させ、
前記支柱の溝状係止部の上部から前記中間部中間支持部材の係止部を挿入して支柱に沿って下側に降ろし、前記中間部中間支持部材の下半分の小パネル端部挿通部を通して、前記上下左右仕切り部をセットしてある前記下段の小パネルの上側両角部上に載せて、前記下段の小パネルの上側両角部を前記中間部中間支持部材の倒れ防止部の下半分と対向させ、
前記中段の小パネルの下側両角部を、前記２個の中間部中間支持部材の上半分の小パネル端部挿通部を通して、前記上下左右仕切り部の上にそれぞれ載せて、前記中段の小パネルの下側両角部を前記中間部中間支持部材の倒れ防止部の上半分と対向させ、
前記支柱の溝状係止部の上部から前記上部中間支持部材の係止部を挿入し支柱に沿って下側に降ろし、前記上部中間支持部材の小パネル端部挿通部を通して、前記上部中間支持部材の載置部を前記支柱の溝状係止部の上端部に載せて、
配置された２個の前記上部中間支持部材の間を通して前記上段の小パネルの下部を挿入し、前記中段の小パネルの上端部に載せて、前記上段の小パネルの下部を前記上部中間支持部材の倒れ防止部と対向させ、
隣接する前記上段の小パネルの上端部どうしの接合部に前記中間連結部材を上から嵌め込み、前記上段の小パネルの上端部どうしを前記中間連結部材で連結して平面状のパネル部を構成したことを特徴とするパネル装置。
【請求項２】
請求項１に記載のパネル装置において、
前記複数本の支柱は、前記小パネルの横幅と略同寸の横幅を有する裏板を前記支柱の間に介在することによって配置立設されていることを特徴とするパネル装置。
【請求項３】
請求項１または２に記載のパネル装置において、
前記支柱の外形は略多角柱状をしており、外周には径方向外側に向けて放射状に延びた複数本の断面矢印部が等間隔に設けられて、前記隣の断面矢印部と断面矢印部の間には前記支柱の上下方向に延びた溝状部が前記支柱の周方向に沿って複数個所形成されていることを特徴とするパネル装置。
【請求項４】
請求項１ないし３のいずれか１項に記載のパネル装置において、
前記パネル中間連結部材ならびに下部中間支持部材、中間部中間支持部材、上部中間支持部材は、透明な合成樹脂で成形されていることを特徴とするパネル装置。
【請求項５】
少なくとも上下方向に下段、中段、上段の複数段、ならびに左右方向に複数列配置される小パネルと、
配置される前記下段と中段の小パネルの合計の高さよりも高く、個々の前記小パネルの横幅と略同寸の等間隔で立設されて、外周部に上下方向に延びた溝状係止部を有する複数本の支柱と、
前記下段の小パネルの前方への倒れを防止する倒れ防止部と、前記倒れ防止部の裏面の中間位置から後方に延びた連結部と、前記連結部の後端に取り付けられて上下方向に延びた係止部と、前記連結部の下部から左右水平方向に延びた小パネル角受け部から構成されて、前記倒れ防止部と前記係止部の間に小パネル端部挿通部が形成された下部中間支持部材と、
隣接して配置される前記下段と中段の合計４枚の小パネルの前方への倒れを防止する倒れ防止部と、前記倒れ防止部の裏面上下方向ならびに左右方向の中間位置から後方に延びた連結部と、前記連結部の後端に取り付けられて上下方向に延びた係止部と、前記連結部を間にして左右水平方向に延びた上下左右仕切り部から構成されて、前記上下左右仕切り部を間にして前記倒れ防止部と前記係止部の間に小パネル端部挿通部が形成された中間部中間支持部材と、
前記上段の小パネルの前方への倒れを防止する倒れ防止部と、前記倒れ防止部の裏面中間位置から後方に延びた連結部と、前記連結部の後端に取り付けられて上下方向に延びた係止部と、前記係止部の上端に水平方向に取り付けられた載置部から構成されて、前記倒れ防止部と前記載置部の間に小パネル端部挿通部が形成された上部中間支持部材と、
上面部と、前記上面部の両端から垂下した２枚の垂下部から構成されている側面形状が略コ字形の中間連結部材を備えて、
前記複数本の支柱を前記小パネルの横幅と略同寸の間隔で配置立設する工程と、
各支柱の下部に前記下部中間支持部材をセットして、前記下部中間支持部材の係止部を前記支柱の溝状係止部と係合する工程と、
配置された２個の前記下部中間支持部材の間に前記下段の小パネルの下部を挿入し、前記下段の小パネルの下側両角部を前記下部中間支持部材の小パネル端部挿通部を通して前記小パネル角受け部上にそれぞれ載せて前記倒れ防止部と対向させる工程と、
前記支柱の溝状係止部の上部から前記中間部中間支持部材の係止部を挿入して支柱に沿って下側に降ろし、前記中間部中間支持部材の下半分の小パネル端部挿通部を通して、前記上下左右仕切り部をセットしてある前記下段の小パネルの上側両角部上に載せて、前記下段の小パネルの上側両角部を前記中間部中間支持部材の倒れ防止部の下半分と対向させる工程と、
前記中段の小パネルの下側両角部を、前記２個の中間部中間支持部材の上半分の小パネル端部挿通部を通して、前記上下左右仕切り部の上にそれぞれ載せて、前記中段の小パネルの下側両角部を前記中間部中間支持部材の倒れ防止部の上半分と対向させる工程と、
前記支柱の溝状係止部の上部から前記上部中間支持部材の係止部を挿入し支柱に沿って下側に降ろし、前記上部中間支持部材の小パネル端部挿通部を通して、前記上部中間支持部材の載置部を前記支柱の溝状係止部の上端部に載せる工程と、
配置された２個の前記上部中間支持部材の間を通して前記上段の小パネルの下部を挿入し、前記中段の小パネルの上端部に載せて、前記上段の小パネルの下部を前記上部中間支持部材の倒れ防止部と対向させる工程と、
隣接する前記上段の小パネルの上端部どうしの接合部に前記中間連結部材を上から嵌め込み、前記上段の小パネルの上端部どうしを前記中間連結部材で連結して平面状のパネル部を構成する工程とを
含んでいることを特徴とするパネル装置の組み立て方法。
【発明の詳細な説明】
【技術分野】
【０００１】  本発明は、展示場などに設置するパネル装置ならびにその組み立て方法に係り、特にパネル表示効果が高く、構造が簡単で、しかも組み立て易いパネル装置ならびにその組み立て方法に関するものである。
【背景技術】
【０００２】  展示場などで新製品の展示・発表などを行う際、会社名や新製品の説明・用途などを記載した印刷物などを掲示するのにパネル装置がよく使用されている。【０００３】  図４２は、従来のパネル装置の一例を示す概略斜視図である。
図中の１００は従来のパネル装置で、長方形をした１枚板のパネル板１０１を複数枚例えば平面形状がＬ字形になるように並設・連結して構成されている。１０２は、パネル板１０１どうしを連結する棒状の連結バーである。展示場では、このパネル装置１００により隣の展示スペースとの境界が区画化されている。【０００４】  また、１０３は会社名や新製品の説明などを記載した複数枚の掲示板で、パネル板１０１の所定位置に取りつけられている。１０４はパネル装置１００により区画化された内側のスペース内に敷設されたカーペットで、カーペット１０４上には複数の台１０５が置かれて、台１０５の上には新製品１０６などが並べられている。
【先行技術文献】
【特許文献】
【０００５】
【特許文献１】  特開平７−１５５０６号公報
【発明の概要】
【発明が解決しようとする課題】
【０００６】  従来のパネル装置１００は図４２に示すように、パネル装置１００を構成するパネル板１０１は大きな長方形をした１枚板からなり、そのパネル板１０１を複数枚横に並べ、それらを連結してパネル装置１００を構成していた。【０００７】  このパネル装置１００の高さは規格では３，４００ｍｍとなっているが、市販のもののパネル板１０１ならびに連結バー１０２の高さは２，６４０ｍｍであり、市販のものは規格の高さよりも７６０ｍｍ低いことになる。【０００８】  そのため図４２に示すように、パネル板１０１の上端と展示場の天井１０７の間に比較的大きな間隔１０８ができる場合がある。【０００９】  そのようなときに、隣の展示スペースに展示されている掲示板１０３や新製品１０６の上端部が、こちらの展示スペースから間隔１０８を通して見えることがある。そうなるとこちらの展示スペースでパネル板１０１に掛かっている掲示板１０３などを見ているときに、パネル板１０１の上端から突出している隣の展示スペースの掲示板１０３や新製品１０６などの上端部が自然に目に入り、そのためにパネル表示効果が低減するという弊害がある。【００１０】  本発明の目的は、このような従来技術の欠点を解消し、パネル表示効果が高く、構造が簡単で、しかも組み立て易いパネル装置ならびにその組み立て方法を提供することにある。
【課題を解決するための手段】
【００１１】  前記目的を達成するため本発明の第１の手段は、
少なくとも上下方向に下段、中段、上段の複数段、ならびに左右方向に複数列配置される小パネルと、
配置される前記下段と中段の小パネルの合計の高さよりも高く、個々の前記小パネルの横幅と略同寸の等間隔で立設されて、外周部に上下方向に延びた溝状係止部を有する複数本の支柱と、
前記下段の小パネルの前方への倒れを防止する倒れ防止部と、前記倒れ防止部の裏面の中間位置から後方に延びた連結部と、前記連結部の後端に取り付けられて上下方向に延びた係止部と、前記連結部の下部から左右水平方向に延びた小パネル角受け部から構成されて、前記倒れ防止部と前記係止部の間に小パネル端部挿通部が形成された下部中間支持部材と、
隣接して配置される前記下段と中段の合計４枚の小パネルの前方への倒れを防止する倒れ防止部と、前記倒れ防止部の裏面上下方向ならびに左右方向の中間位置から後方に延びた連結部と、前記連結部の後端に取り付けられて上下方向に延びた係止部と、前記連結部を間にして左右水平方向に延びた上下左右仕切り部から構成されて、前記上下左右仕切り部を間にして前記倒れ防止部と前記係止部の間に小パネル端部挿通部が形成された中間部中間支持部材と、
前記上段の小パネルの前方への倒れを防止する倒れ防止部と、前記倒れ防止部の裏面中間位置から後方に延びた連結部と、前記連結部の後端に取り付けられて上下方向に延びた係止部と、前記係止部の上端に水平方向に取り付けられた載置部から構成されて、前記倒れ防止部と前記載置部の間に小パネル端部挿通部が形成された上部中間支持部材と、
上面部と、前記上面部の両端から垂下した２枚の垂下部から構成されている側面形状が略コ字形の中間連結部材を備えている。【００１２】  そして、前記複数本の支柱を前記小パネルの横幅と略同寸の間隔で配置立設し、
各支柱の下部に前記下部中間支持部材をセットして、前記下部中間支持部材の係止部を前記支柱の溝状係止部と係合し、
配置された２個の前記下部中間支持部材の間に前記下段の小パネルの下部を挿入し、前記下段の小パネルの下側両角部を前記下部中間支持部材の小パネル端部挿通部を通して前記小パネル角受け部上にそれぞれ載せて前記倒れ防止部と対向させ、
前記支柱の溝状係止部の上部から前記中間部中間支持部材の係止部を挿入して支柱に沿って下側に降ろし、前記中間部中間支持部材の下半分の小パネル端部挿通部を通して、前記上下左右仕切り部をセットしてある前記下段の小パネルの上側両角部上に載せて、前記下段の小パネルの上側両角部を前記中間部中間支持部材の倒れ防止部の下半分と対向させ、
前記中段の小パネルの下側両角部を、前記２個の中間部中間支持部材の上半分の小パネル端部挿通部を通して、前記上下左右仕切り部の上にそれぞれ載せて、前記中段の小パネルの下側両角部を前記中間部中間支持部材の倒れ防止部の上半分と対向させ、
前記支柱の溝状係止部の上部から前記上部中間支持部材の係止部を挿入し支柱に沿って下側に降ろし、前記上部中間支持部材の小パネル端部挿通部を通して、前記上部中間支持部材の載置部を前記支柱の溝状係止部の上端部に載せて、
配置された２個の前記上部中間支持部材の間を通して前記上段の小パネルの下部を挿入し、前記中段の小パネルの上端部に載せて、前記上段の小パネルの下部を前記上部中間支持部材の倒れ防止部と対向させ、
隣接する前記上段の小パネルの上端部どうしの接合部に前記中間連結部材を上から嵌め込み、前記上段の小パネルの上端部どうしを前記中間連結部材で連結して平面状のパネル部を構成したことを特徴とするものである。【００１３】  本発明の第２の手段は前記第１の手段において、
複数本の支柱は、前記小パネルの横幅と略同寸の横幅を有する裏板を前記支柱の間に介在することによって配置立設されていることを特徴とするものである。【００１４】  本発明の第３の手段は前記第１または第２の手段において、
前記支柱の外形は略多角柱状をしており、外周には径方向外側に向けて放射状に延びた複数本の断面矢印部が等間隔に設けられて、前記隣の断面矢印部と断面矢印部の間には前記支柱の上下方向に延びた溝状部が前記支柱の周方向に沿って複数個所形成されていることを特徴とするものである。【００１５】  本発明の第４の手段は前記第１ないし第３のいずれかの手段において、
前記パネル中間連結部材ならびに下部中間支持部材、中間部中間支持部材、上部中間支持部材は、透明な合成樹脂で成形されていることを特徴とするものである。【００１６】  本発明の第５の手段は、
少なくとも上下方向に下段、中段、上段の複数段、ならびに左右方向に複数列配置される小パネルと、
配置される前記下段と中段の小パネルの合計の高さよりも高く、個々の前記小パネルの横幅と略同寸の等間隔で立設されて、外周部に上下方向に延びた溝状係止部を有する複数本の支柱と、
前記下段の小パネルの前方への倒れを防止する倒れ防止部と、前記倒れ防止部の裏面の中間位置から後方に延びた連結部と、前記連結部の後端に取り付けられて上下方向に延びた係止部と、前記連結部の下部から左右水平方向に延びた小パネル角受け部から構成されて、前記倒れ防止部と前記係止部の間に小パネル端部挿通部が形成された下部中間支持部材と、
隣接して配置される前記下段と中段の合計４枚の小パネルの前方への倒れを防止する倒れ防止部と、前記倒れ防止部の裏面上下方向ならびに左右方向の中間位置から後方に延びた連結部と、前記連結部の後端に取り付けられて上下方向に延びた係止部と、前記連結部を間にして左右水平方向に延びた上下左右仕切り部から構成されて、前記上下左右仕切り部を間にして前記倒れ防止部と前記係止部の間に小パネル端部挿通部が形成された中間部中間支持部材と、
前記上段の小パネルの前方への倒れを防止する倒れ防止部と、前記倒れ防止部の裏面中間位置から後方に延びた連結部と、前記連結部の後端に取り付けられて上下方向に延びた係止部と、前記係止部の上端に水平方向に取り付けられた載置部から構成されて、前記倒れ防止部と前記載置部の間に小パネル端部挿通部が形成された上部中間支持部材と、
上面部と、前記上面部の両端から垂下した２枚の垂下部から構成されている側面形状が略コ字形の中間連結部材を備えている。【００１７】  そして、前記複数本の支柱を前記小パネルの横幅と略同寸の間隔で配置立設する工程と、
各支柱の下部に前記下部中間支持部材をセットして、前記下部中間支持部材の係止部を前記支柱の溝状係止部と係合する工程と、
配置された２個の前記下部中間支持部材の間に前記下段の小パネルの下部を挿入し、前記下段の小パネルの下側両角部を前記下部中間支持部材の小パネル端部挿通部を通して前記小パネル角受け部上にそれぞれ載せて前記倒れ防止部と対向させる工程と、
前記支柱の溝状係止部の上部から前記中間部中間支持部材の係止部を挿入して支柱に沿って下側に降ろし、前記中間部中間支持部材の下半分の小パネル端部挿通部を通して、前記上下左右仕切り部をセットしてある前記下段の小パネルの上側両角部上に載せて、前記下段の小パネルの上側両角部を前記中間部中間支持部材の倒れ防止部の下半分と対向させる工程と、
前記中段の小パネルの下側両角部を、前記２個の中間部中間支持部材の上半分の小パネル端部挿通部を通して、前記上下左右仕切り部の上にそれぞれ載せて、前記中段の小パネルの下側両角部を前記中間部中間支持部材の倒れ防止部の上半分と対向させる工程と、
前記支柱の溝状係止部の上部から前記上部中間支持部材の係止部を挿入し支柱に沿って下側に降ろし、前記上部中間支持部材の小パネル端部挿通部を通して、前記上部中間支持部材の載置部を前記支柱の溝状係止部の上端部に載せる工程と、
配置された２個の前記上部中間支持部材の間を通して前記上段の小パネルの下部を挿入し、前記中段の小パネルの上端部に載せて、前記上段の小パネルの下部を前記上部中間支持部材の倒れ防止部と対向させる工程と、
隣接する前記上段の小パネルの上端部どうしの接合部に前記中間連結部材を上から嵌め込み、前記上段の小パネルの上端部どうしを前記中間連結部材で連結して平面状のパネル部を構成する工程とを含んでいることを特徴とするものである。
【発明の効果】
【００１８】  本発明は前述のような構成になっており、隣の展示スペースの掲示板や新製品の上端部などが自然に目に入ることなく、そのためにパネル表示効果が高く、構造が簡単で、しかも組み立て易いパネル装置ならびにその組み立て方法を提供することができる。
【図面の簡単な説明】
【００１９】
【図１】本発明の実施形態に係るパネル装置における小パネルの配置例を示す概略正面図である。
【図２】そのパネル装置の概略左側面図である。
【図３】そのパネル装置の概略右側面図である。
【図４】そのパネル装置の概略上面図である。
【図５】図４におけるＸ部の拡大平面図である。
【図６】本実施形態で使用される支柱の拡大断面図である。
【図７】本実施形態で使用される中間連結部材の側面図である。
【図８】本実施形態で使用されるコーナ連結部材の上面図である。
【図９】そのコーナ連結部材の正面図である。
【図１０】本実施形態で使用される上部中間支持部材の正面図である。
【図１１】その上部中間支持部材の側面図である。
【図１２】本実施形態で使用される上部左端支持部材の正面図である。
【図１３】その上部左端支持部材の側面図である。
【図１４】その上部左端支持部材の上面図である。
【図１５】本実施形態で使用される上部右端支持部材の正面図である。
【図１６】その上部右端支持部材の側面図である。
【図１７】その上部右端支持部材の上面図である。
【図１８】本実施形態で使用される中間部中間支持部材の正面図である。
【図１９】その中間部中間支持部材の側面図である。
【図２０】本実施形態で使用される中間部左端（右端）支持部材の正面図である。
【図２１】その中間部左端（右端）支持部材の側面図である。
【図２２】その中間部左端（右端）支持部材の上面図である。
【図２３】本実施形態で使用される下部中間支持部材の正面図である。
【図２４】その下部中間支持部材の側面図である。
【図２５】本実施形態で使用される下部左端支持部材の正面図である。
【図２６】その下部左端支持部材の側面図である。
【図２７】その下部左端支持部材の上面図である。
【図２８】本実施形態で使用される下部右端支持部材の正面図である。
【図２９】その下部右端支持部材の側面図である。
【図３０】その下部右端支持部材の上面図である。
【図３１】前記上部中間支持部材を支柱の上部にセットして、３段目（最上段）中間の小パネル（中上１）を倒れないように支持した状態を示した斜視図である。
【図３２】前記上部左端支持部材を支柱の上部にセットして、３段目（最上段）左端の小パネル（左上１）を倒れないように支持した状態を示した斜視図である。
【図３３】前記上部右端支持部材を支柱の上部にセットして、３段目（最上段）右端の小パネル（右上３）を倒れないように支持した状態を示した斜視図である。
【図３４】１段目の小パネル（中下２）と２段目の小パネル（中中２）の角部の間に介在した前記中間部中間支持部材により、１段目の小パネル（中下２）と２段目の小パネル（中中２）を倒れないように支持した状態を示した斜視図である。
【図３５】前記中間部左端（右端）支持部材により、１段目の小パネル（左下１）と２段目の小パネル（左中１）を倒れないように支持した状態を示した斜視図である。
【図３６】前記中間部左端（右端）支持部材により、１段目の小パネル（右下３）と２段目の小パネル（右中３）を倒れないように支持した状態を示した斜視図である。
【図３７】所定の間隔をおいて設置された２本の支柱の下部に前記下部中間支持部材をそれぞれセットして、その２本の下部中間支持部材の間に小パネル（右下１）を装着した状態を示した斜視図である。
【図３８】支柱の下部に前記下部左端支持部材をセットして、その下部左端支持部材の上に小パネル１（左下１）の左端角部を載せた状態を示した斜視図である。
【図３９】支柱の下部に前記下部右端支持部材をセットして、その下部右端支持部材の上に小パネル（右下３）の右端角部を載せた状態を示した斜視図である。
【図４０】本発明の実施形態に係るパネル装置の組み立て方法を説明するためのフローチャートである。
【図４１】本発明の実施形態に係るパネル装置の組み立て方法を説明するための続きのフローチャートである。
【図４２】従来のパネル装置の一例を示す概略構成図である。
【発明を実施するための形態】
【００２０】  次に本発明の実施形態を図面とともに説明する。
図１ないし図４は本発明の実施形態に係るパネル装置における小パネルの配置例を示す図であり、図１はそのパネル装置の概略正面図、図２はそのパネル装置の概略左側面図、図３はそのパネル装置の概略右側面図である。また、図４はそのパネル装置の概略平面図、図５は図４におけるＸ部の拡大平面図である。
【００２１】  本実施形態の場合、図１に示すように正面には縦に長い長方形の小パネル１（例えば縦幅１，１３０ｍｍ、横幅９８５ｍｍ）が、縦方向（上下方向）に３段、横方向（左右方向）に６列配置されて、合計で１８枚の小パネル１によりパネル装置の正面パネル部２を構成している。
【００２２】  また、図２ならびに図３に示すように左側面ならびに右側面には、縦に長い長方形の小パネル１（例えば縦幅１，１３０ｍｍ、横幅９４０ｍｍ）が、同じように縦方向（上下方向）に３段、横方向（左右方向）には３列配置されて、合計で９枚の小パネル１によりそれぞれパネル装置の左側面パネル部３ならびに右側面パネル部４を構成している。
【００２３】  本発明においては、正面パネル部２と左側面パネル部３と右側面パネル部４の高さを揃えるために図１から図３に示すように、正面パネル部２における小パネル１の縦幅と、左側面パネル部３ならびに右側面パネル部４における小パネル１の縦幅は等しくする必要がある。
【００２４】  しかし、正面パネル部２における小パネル１の横幅と、左側面パネル部３ならびに右側面パネル部４における小パネル１の横幅は本実施形態のように異なっても良いし、また各小パネル１の横幅を等しくすることもできる。
【００２５】  なお、正面パネル部２、左側面パネル部３ならびに右側面パネル部４の横幅は、展示スペースの大きさなどによって、任意に設定することができる。
【００２６】  これら正面パネル部２、左側面パネル部３ならびに右側面パネル部４によって、図４に示すように平面形状がコ字形のパネル装置１０が構成されている。なお、図４は紙面の関係上、小パネル１、正面パネル部２、左側面パネル部３ならびに右側面パネル部４などが、図１ないし図３のそれよりも縮小して描かれている。
【００２７】  この正面パネル部２、左側面パネル部３ならびに右側面パネル部４によって囲まれる内側のスペース内にカーペットＹ（例えば図３７参照）が敷設されて、そのカーペットＹ上に置かれた複数の台の上に新製品などが並べられる（いずれも図示せず）展示スペースＳ（図４参照）となる。
【００２８】  各小パネル１は、多数本の支柱５と、多数個のパネル上端連結部材６と、多数個のパネル支持部材７などによって連結・支持されている。後述する各パネル上端連結部材６ならびにパネル支持部材７は、パネル装置１０上において、展示効果の関係上。それらの存在が目立たないようにするために例えば透明塩化ビニール樹脂などの透明な合成樹脂で成形されている。
【００２９】  前記支柱５は図６や図３１に示すように、支柱５の外形は略八角柱状をしており、内側中央部に円筒部８が設けられ、その円筒部８の外周には径方向外側に向けて放射状に延びた８本の断面矢印部９（係止部）が等間隔に設けられている。
【００３０】  隣の断面矢印部９と断面矢印部９の間には支柱５の縦方向に貫通して延びた溝状部１１が、支柱５の周方向に沿って８個所形成されている。支柱５は、例えばアルミニウムやアルミニウム合金などの軽合金で構成されている。
なお特許請求の範囲では、前記断面矢印部９（係止部）と溝状部１１を含めて溝状係止部と記載している。
【００３１】  前記パネル上端連結部材６は図５に示すよう、平面上で隣の小パネル１と小パネル１の上端部どうしに跨って互いに連結するための中間連結部材６ａと、正面パネル部２と左側面パネル部３のコーナ部ならびに正面パネル部２と右側面パネル部４のコーナ部を連結するためのコーナ連結部材６ｂから構成されている。
【００３２】  図７は中間連結部材６ａの側面図で、中間連結部材６ａは上面部６ａ１と、その上面部６ａ１の両端から垂下した２枚の垂下部６ａ２から構成されており、同図に示すように側面形状が略コ字形をしている。
【００３３】  図５ならびに図７に示されているように、小パネル１の上端部と隣の小パネル１の上端部どうしの接合部にこの中間連結部材６ａを上から嵌め込むことにより、両小パネル１の上端部どうしが中間連結部材６ａ内に収まり、前記２枚の垂下部６ａ２により位置ずれすることなく連結される。
【００３４】  図８ならびに図９は、コーナ連結部材６ｂの上面図ならびに正面図である。コーナ連結部材６ｂは図８に示すように、上面形状が略Ｌ字形をしている上面部６ｂ１と、その上面部６ｂ１の略Ｌ字形に突出した側の両端部からそれぞれ垂下した合計４枚の垂下部６ｂ２から構成されている。
【００３５】  図５ならびに図８に示されているように、正面パネル部２側の小パネル１の上端部と、左側面パネル部３（あるいは右側面パネル部４）側の小パネル１の上端部どうしの接合コーナ部にこのコーナ連結部材６ｂを上から嵌め込むことにより、両小パネル１の上端部どうしがコーナ連結部材６ｂ内に収まり、前記４枚の垂下部６ｂ２により位置ずれすることなく連結される。
【００３６】  図１に示されているように、正面パネル部２における３段目（最上段）の小パネル１群（中上１〜中上６）の左右上端部には、それぞれコーナ連結部材６ｂが設置される。
【００３７】  一方、図２に示されているように、左側面パネル部３の３段目（最上段）の小パネル１群（左上１〜左上３）のうち右端の小パネル１（左上３）にはコーナ連結部材６ｂが設置されるが、同じ小パネル１群（左上１〜左上３）のうち左端の小パネル１（左上１）にはコーナ連結部材６ｂは設置されない。これは左端の小パネル１（左上１）は図４に示すように、展示スペースＳの入り口側に配置されるためコーナ連結部材６ｂは必要がないためである。
【００３８】  同じ理由から図３に示されているように、右側面パネル部４の３段目（最上段）の小パネル１群（右上１〜右上３）のうち左端の小パネル１（右上１）にはコーナ連結部材６ｂが設置されるが、右端の小パネル１（右上３）にはコーナ連結部材６ｂは設置されない。
なお、図１ないし図３に示されている符号１３はパネル装置１０に設置する照明用ライトの挿入口（取付部）であり、最上段の小パネル１の全てに設けられている。
【００３９】  また図５に示されている符号１４は各小パネル１群（正面パネル部２、左側面パネル部３ならびに右側面パネル部４）の裏側面に配置された裏板で、各小パネル１と同じ大きさを有し、左右両端部がそれと対応する支柱５の空間部１１に挿入されて係合することにより、その両側の支柱５の立設状態を支持している。
【００４０】  裏板１４の両端部を断面Ｔ字形にして、その断面Ｔ字部を図６に示されている支柱５の溝状部１１に挿入して断面矢印部９と係合することで、支柱５と裏板１４の連結をより確実にすることもできる。
【００４１】  前述したパネル支持部材７は、パネル装置１０の上部の小パネル１どうしを支持する上部中間支持部材７ａ、上部左端支持部材７ｂ、上部右端支持部材７ｃと、パネル装置１０の中間部の小パネル１どうしを支持する中間部中間支持部材７ｄ、中間部左端（右端）支持部材７ｅと、パネル装置１０の下部の小パネル１どうしを支持する下部中間支持部材７ｆ、下部左端支持部材７ｇ、下部右端支持部材７ｈとを有している。
【００４２】  次に各種パネル支持部材７の形状ならびに構造について図を用いて説明する。
図１０ならびに図１１は、上部中間支持部材７ａの正面図ならびに側面図である。上部中間支持部材７ａは、パネル装置１０の上部の小パネル１の倒れを防止する所定の大きさを有し、前方への倒れを防止する倒れ防止部７ａ１と、その倒れ防止部７ａ１の裏面横幅中央位置から後方に延びた連結部７ａ２と、その連結部７ａ２の後端に取り付けられて上下方向に延びた係止部７ａ３と、その係止部７ａ３の上端に水平方向に取り付けられた載置部７ａ４とから構成されている。
【００４３】  図１０に示す符号Ｗは係止部７ａ３の横幅を示しており、この係止部７ａ３の横幅Ｗは、図６に示す支柱５の隣の断面矢印部９と断面矢印部９の間隔Ｇよりも長く設計されている（Ｗ＞Ｇ）。また、前述の連結部７ａ２の板厚Ｔは、支柱５の断面矢印部９と断面矢印部９の間隔Ｇよりも薄く設計されている（Ｔ＜Ｇ）。さらに、図１０に示すように、載置部７ａ４の長さＬは、係止部７ａの横幅Ｗよりも長く設計されて（Ｌ＞Ｗ）、係止部７ａ３の両端部から突出している。
【００４４】  そのため図６に一点鎖線で示すように、支持部材７ａの係止部７ａ３が溝状部１１に上方向から挿入されて、両側の断面矢印部９に係止する構造になっている。また、支持部材７ａの係止部７ａ３を支柱５の溝状部１１に挿入し終わると、支持部材７ａ（載置部７ａ４）が支柱５の上端部に載置される構造になっている。
【００４５】  このような係止部７ａ３の横幅Ｗと断面矢印部９の間隔Ｇ、連結部７ａ２の板厚Ｔと断面矢印部９の間隔Ｇ、ならびに載置部７ａ４の長さＬと係止部７ａ３の横幅Ｗの寸法関係は、後述する他のパネル支持部材７においても同様である。
【００４６】  図３１は、上部中間支持部材７ａを支柱５の上部に載置（セット）して、上部中間支持部材７ａにより最上段である３段目の小パネル１（図１に示す中上１〜中上６、図２に示す左上１〜左上３、図３に示す右上１〜左上３）を前方に倒れないように支持した状態を示した斜視図である。
【００４７】  同図に示すように、後述する支柱５と中間部中間支持部材７ｄ（図示せず）により２段目の小パネル１（本例では中中１）がすでに支持されており、支柱５の上端部はその２段目の小パネル１（中中１）よりも所定高さ上方に突出している（図３参照）。
すなわち、支柱５の高さは、１段目の小パネル１（中下１）と２段目の小パネル１（中中１）の合計高さよりも高く設計されている。
【００４８】  この状態で、上部中間支持部材７ａの係止部７ａ３（図１０、図１１参照）を支柱５の上部から断面矢印部９の間の溝状部１１内に挿入して、支柱５に沿って下方に降ろし、上部中間支持部材７ａの載置部７ａ４を支柱５の上端部に載置する。
【００４９】  これにより上部中間支持部材７ａのセットが終わり、図１１ならび図３１に示すように、上部中間支持部材７ａの倒れ防止部７ａ１と載置部７ａ４の間に小パネル端部挿通部１５が形成される。
【００５０】  このようにしてセットされた上部中間支持部材７ａの上から最上段（３段目）の小パネル１（本例では中上１）が挿入され、小パネル１の両端部が小パネル端部挿通部１５を通して、２段目の小パネル１（中中１）の上に置かれる。
【００５１】  図３１に示すように、上部中間支持部材７ａに対する小パネル１の挿入をスムーズにするため、小パネル端部挿通部１５の矢印方向の幅は小パネル１の板厚よりも若干大きく設計されている。このことは後述する他のパネル支持部材７ｂ〜７ｈにおいても同様である。
【００５２】  図２の左端に示しているように、支柱５の高さは従来のパネル装置と同じ２，６４０ｍｍであるが、最上段（３段目）の小パネル１の上端部までの高さは３，４００ｍｍであり、支柱５より７６０ｍｍ上方に突出している。
【００５３】  後述するように小パネル１を複数段（本実施形態では３段）に積み上げて、最上段（３段目）の小パネル１の上端部までの高さを３，４００ｍｍにすることにより（図２参照）、最上段の小パネル１の上端部を展示場の天井部（図示せず）に近づけて、隣の展示スペースのパネルや展示物などが見えないように目隠しできる。
【００５４】  なお図３１では、支柱５と上部中間支持部材７ａの係合関係、小パネル１と上部中間支持部材７ａの係合関係、ならびに上部中間支持部材７ａと裏板１４の係合関係などを表すために、小パネル１（中上１）の手前側に配置される小パネル１（中上２  図１参照）の図示を省略している。
【００５５】  図１２は上部左端支持部材７ｂの正面図、図１３は上部左端支持部材７ｂの側面図、図１４は上部左端支持部材７ｂの上面図である。
上部左端支持部材７ｂは、図２に示す左側面パネル部３のうちの左端に配置される展示スペースＳ（図４参照）の入り口側最上段の小パネル１（左上１）を支持するための部材である。
【００５６】  この上部左端支持部材７ｂは、図１０に示す上部中間支持部材７ａの倒れ防止部７ａ１の約半分の大きさを有する倒れ防止部７ｂ１と、図１４に示すようにその倒れ防止部７ｂ１の裏面の右側端部から後方に延びた連結部７ｂ２と、その連結部７ｂ２の後端に取り付けられた上下方向に延びた係止部７ｂ３と、その係止部７ｂ３の上端に取り付けられた水平方向に延びた載置部７ｂ４とから構成されている。
【００５７】  図３２は、その上部左端支持部材７ｂを支柱５の上部に載置（セット）して、上部左端支持部材７ｂにより最上段左端の小パネル１（図２に示す左上１）を前方に倒れないように支持した状態を示した斜視図である。
【００５８】  図３２には図示されていないが、支柱５と後述する中間部左端（右端）支持部材７ｅ（図２参照）により２段目の小パネル１（本例では左中１）がすでに支持されており、支柱５の上端部はその２段目の小パネル１（左中１）よりも所定高さ上方に突出している。
【００５９】  この状態で、上部左端支持部材７ｂの係止部７ｂ３（図１２〜図１４参照）を支柱５の上部から断面矢印部９の間の溝状部１１内に挿入して、支柱５に沿って下側に降ろし、上部左端支持部材７ｂの載置部７ｂ４を支柱５の上部に載置する。
【００６０】  これにより上部左端支持部材７ｂのセットが終わり、図１３、図１４ならびに図３２に示すように、上部左端支持部材７ｂの倒れ防止部７ｂ１と載置部７ｂ４の間に小パネル端部挿通部１５が形成される。
【００６１】  このようにしてセットされた上部左端支持部材７ｂの上から最上段（３段目）の小パネル１（左上１）が挿入され、小パネル１の左側端部が小パネル端部挿通部１５を通り、予めセットされている２段目の小パネル１（左中１）の上端部に置かれる。
【００６２】  そして図２ならびに図３２に示されているように、最上段（３段目）の小パネル１（左上１）の下部左側端部近くが小パネル端部挿通部１５内において、倒れ防止部７ｂ１と連結部７ｂ２と載置部７ｂ４の間で倒れないように支えられる。
【００６３】  図１５は上部右端支持部材７ｃの正面図、図１６は上部右端支持部材７ｃの側面図、図１７は上部右端支持部材７ｃの上面図である。
上部右端支持部材７ｃは、図３に示す右側面パネル部４のうちの右端に配置される図４に示す展示スペースＳの入り口側最上段の小パネル１（右上３）を支持するための部材である。
【００６４】  この上部右端支持部材７ｃは、図１０に示す上部中間支持部材７ａの倒れ防止部７ａ１の約半分の大きさを有する倒れ防止部７ｃ１と、図１７に示すようにその倒れ防止部７ｃ１の裏面の左側端部から後方に延びた連結部７ｃ２と、その連結部７ｃ２の後端に取り付けられた上下方向に延びた係止部７ｃ３と、その係止部７ｃ３の上端に取り付けられた水平方向に延びた載置部７ｃ４とから構成されている。
【００６５】  図３３は、上部右端支持部材７ｃを支柱５の上部に載置（セット）して、上部右端支持部材７ｃにより最上段右端の小パネル１（図３に示す右上３）を倒れないように支持した状態を示した斜視図である。
【００６６】  図３３には図示されていないが、支柱５と後述する中間部左端（右端）支持部材７ｅ（図３参照）により２段目の小パネル１（右中３の小パネル１）がすでに支持されており、支柱５の上端部はその２段目の小パネル１（右中３）よりも所定高さ上方に突出している。
【００６７】  この状態で、上部右端支持部材７ｃの係止部７ｃ３（図１５〜図１７参照）を支柱５の上部から断面矢印部９の間の溝状部１１内に挿入して、支柱５に沿って降ろし、上部右端支持部材７ｃの載置部７ｃ４を支柱５の上部に載置する。
【００６８】  これにより上部右端支持部材７ｃのセットが終わり、図１６、図１７ならび図３３に示すように、上部右端支持部材７ｃの倒れ防止部７ｃ１と載置部７ｃ４の間に小パネル端部挿通部１５が形成される。
【００６９】  このようにしてセットされた上部右端支持部材７ｃの上から最上段（３段目）の小パネル１（右上３）が挿入され、小パネル１の右側端部が小パネル端部挿通部１５を通り、予めセットされている２段目の小パネル１（左中３）の上端部に置かれる。
【００７０】  そして図３ならびに図３３に示されているように、最上段（３段目）の小パネル１（右上３）の下部右側端部近くが小パネル端部挿通部１５内において、倒れ防止部７ｃ１と連結部７ｃ２と載置部７ｃ４の間で倒れないように支えられる。
【００７１】  図１８は中間部中間支持部材７ｄの正面図、図１９はその中間部中間支持部材７ｄの側面図である。
中間部中間支持部材７ｄは、図１８に示すようにパネル装置１０の互いに隣接する中間部（２段目）と下部（１段目）の合計４枚の小パネル１の倒れを共に防止する所定の大きさを有する倒れ防止部７ｄ１と、その倒れ防止部７ｄ１の裏面上下方向ならびに左右方向の中間位置（すなわち、倒れ防止部７ｄ１の中央位置）から後方に延びた１枚の連結部７ｄ２と、その連結部７ｄ２の後端に取り付けられて上下方向に延びた係止部７ｄ３と、前記連結部７ｄ２を間にして左右水平方向に延びた上下左右仕切り部７ｄ５（図１８参照）とから構成されている。
【００７２】  そして図１８に示すように、上下左右仕切り部７ｄ５の下部には連結部７ｄ２を間にして、その両側に下側収納角部７ｄ６が形成されている。また、上下左右仕切り部７ｄ５の上部には連結部７ｄ２を間にして、その両側に上側収納角部７ｄ７がそれぞれ形成されている。
【００７３】  図３４は、１段目の小パネル１（中下２）と２段目の小パネル１（中中２）の角部の間に介在した中間部中間支持部材７ｄにより、１段目の小パネル１（中下２）と２段目の小パネル１（中中２）を倒れないように支持した状態を示した斜視図である。
【００７４】  図１に示すように１段目の小パネル１（例えば中下２と中下３）がセットされている状態で（但し、図３４では中下３の小パネル１は図示を省略している）、中間部中間支持部材７ｄの係止部７ｄ３（図１８、図１９参照）を支柱５の上部から断面矢印部９の間の溝状部１１内に挿入しながら、支柱５の軸方向に沿って下側へ降ろしていく。
【００７５】  そして図１８ならびに図１９に示すように、中間部中間支持部材７ｄの下半分に形成されている両側の２つの下側収納角部７ｄ６に、１段目の小パネル１（中下２）の上側右角部と、隣の小パネル１（中下３  図示せず）の上側左角部をそれぞれ挿入して、各角部を上下左右仕切り部７ｄ５の下面に当接する。
【００７６】  この当接で中間部中間支持部材７ｄが、１段目の小パネル１（中下２）と小パネル１（中下３）によって安定に支持される。一方、支柱５に係止されている中間部中間支持部材７ｄの下側収納角部７ｄ６に１段目の小パネル１（中下２）と小パネル１（中下３）の上側角部がそれぞれ挿入されて、中間部中間支持部材７ｄの倒れ防止部７ｄ１とそれぞれ対向することにより、１段目の小パネル１（中下２）と小パネル１（中下３）の倒れ防止が同時になされる。
【００７７】  次に１段目の小パネル１（中下２）と小パネル１（中下３）の上に２段目の小パネル１（中中２）と小パネル１（中中３）を積み上げて、図１８に示すように、２段目の小パネル１（中中２）の下側右角部を中間部中間支持部材７ｄの左側の上側収納角部７ｄ７に、２段目の小パネル１（中中３）の下側左角部を中間部中間支持部材７ｄの右側の上側収納角部７ｄ７に、それぞれ挿入する。
【００７８】  それにより２段目の小パネル１（中中２）の下側右角部ならびに２段目の小パネル１（中中３）の下側左角部が、中間部中間支持部材７ｄの倒れ防止部７ｄ１とそれぞれ対向することにより、２段目の小パネル１（中中２）と小パネル１（中中３）の倒れ防止が同時になされる。
【００７９】  図２０は中間部左端（右端）支持部材７ｅの正面図、図２１はその中間部左端（右端）支持部材７ｅの側面図、図２２はその中間部左端（右端）支持部材７ｅの上面図である。
中間部左端（右端）支持部材７ｅは、図２に示す左側面パネル部３のうちの左端に配置される展示スペースＳの入り口側の下段の小パネル１（左下１）と中段の小パネル１（左中１）、あるいは図３に示す右側面パネル部４のうちの右端に配置される展示スペースＳの入り口側の下段の小パネル１（右下３）と中段の小パネル１（右中３）を支持するための部材である。
【００８０】  なお、前述した左端の小パネル１（左下１、左中１）を支持する部材も右端の小パネル１（右下３、右中３）を支持する部材も外形的（構成的）には同じであるから、中間部左端（右端）支持部材７ｅの構成を図２０ないし図２２を用いて説明する。
【００８１】  この中間部左端（右端）支持部材７ｅは、前記小パネル１（左中１）あるいは小パネル１（右中３）の倒れを防止するための倒れ防止部７ｅ１と、図２２に示すようにその倒れ防止部７ｅ１の裏面の左側端部から後方に延びた連結部７ｅ２と、その連結部７ｅ２の後端に取り付けられた上下方向に延びた係止部７ｅ３と、図２１に示すように前記連結部７ｅ２の上下方向中間位置から係止部７ｅ３側に向けて水平方向に延びた１枚の上下仕切り部７ｅ５とから構成されている。
【００８２】  そして図２１に示すように、上下仕切り部７ｅ５の下部には下側収納角部７ｅ６が形成され、また上下仕切り部７ｅ５の上部には上側収納角部７ｅ７が形成されている。
【００８３】  図３５は、１段目の小パネル１（左下１）と２段目の小パネル１（左中１）の角部の間に介在した中間部左端（右端）支持部材７ｅにより、１段目の小パネル１（左下１）と２段目の小パネル１（左中１）を倒れないように支持した状態を示した斜視図である。
【００８４】  図２に示すように１段目の小パネル１（左下１）がセットされている状態で、中間部左端（右端）支持部材７ｅの係止部７ｅ３（図２０〜図２２参照）を支柱５の上部から断面矢印部９の間の空間部１１内に挿入しながら、下側へ降ろしていく。
【００８５】  そして図２１に示すように、中間部左端（右端）支持部材７ｅの下半分に形成されている下側収納角部７ｅ６に、１段目の小パネル１（左下１）の上側左角部を挿入して、上下仕切り部７ｅ５の下面に当接する。この当接で中間部左端（右端）支持部材７ｅが、１段目の小パネル１（左下１）によって支持される。
【００８６】  また、支柱５に係止されている中間部左端（右端）支持部材７ｅの下側収納角部７ｅ６に１段目の小パネル１（左下１）の上側角部が挿入されて、中間部左端（右端）支持部材７ｅの倒れ防止部７ｅ１と対向することにより、１段目の小パネル１（左下１）の倒れ防止がなされる。
【００８７】  図３５は、１段目の小パネル１（左下１）と２段目の小パネル１（左中１）の角部の間に介在した中間部左端（右端）支持部材７ｅにより、１段目の小パネル１（左下１）と２段目の小パネル１（左中１）を倒れないように共に支持した状態を示した斜視図である。
【００８８】  １段目の小パネル１（左下１）の上に２段目の小パネル１（左中１）を積み上げて、図２１に示すように、２段目の小パネル１（左中１）の下側左角部を中間部左端（右端）支持部材７ｅの上側収納角部７ｅ７に挿入する。
【００８９】  それにより２段目の小パネル１（左中１）の下側左角が、中間部左端（右端）支持部材７ｅの倒れ防止部７ｅ１と対向して、２段目の小パネル１（左中１）の倒れ防止がなされる。
【００９０】  図３に示すように、中間部左端（右端）支持部材７ｅにより、１段目の小パネル（右下３）と２段目の小パネル（右中３）を倒れないように支持する場合は、図２０に示す中間部左端（右端）支持部材７ｅを上下逆さにして用いればよい。
【００９１】  図３６は、その中間部左端（右端）支持部材７ｅにより、１段目の小パネル１（右下３）と２段目の小パネル１（右中３）を倒れないように支持した状態を示した斜視図である。
中間部左端（右端）支持部材７ｅと１段目の小パネル１（右下３）ならびに２段目の小パネル１（右中３）との係合関係は、図３５に示した中間部左端（右端）支持部材７ｅと１段目の小パネル１（左下１）ならびに２段目の小パネル１（左中１）との係合関係と同じなので、重複する説明は省略する。
【００９２】  図３６に示すように、１段目の小パネル１（右下３）の上側右角部ならびに２段目の小パネル１（右中３）の下側右角部が、中間部左端（右端）支持部材７ｅの倒れ防止部７ｅ１と対向することにより、１段目の小パネル１（右下３）と小パネル１（右中３）の倒れ防止が共にできる。
【００９３】  図２３は下部中間支持部材７ｆの正面図、図２４はその下部中間支持部材７ｆの側面図である。
【００９４】  この下部中間支持部材７ｆは、図１に示す小パネル１（中下１〜中下６）、図２に示す小パネル１（左下１〜左下３）あるいは図３に示す小パネル１（右下１〜右下３）の倒れを防止するための倒れ防止部７ｆ１と、その倒れ防止部７ｆ１の裏面の中央部から後方に延びた連結部７ｆ２と、その連結部７ｆ２の後端に取り付けられた上下方向に延びた係止部７ｆ３と、前記連結部７ｆ２の下部から水平方向に延びた小パネル角受け部７ｆ４と、前記倒れ防止部７ｆ１に連設されて下方向に延びた脚部７ｆ５とから構成されている。
【００９５】  図３７は、裏板１４により所定の間隔をおいて設置された２本の支柱５の下部に下部中間支持部材７ｆをそれぞれセットして（図３７では一方の支柱５と１個の下部中間支持部材７ｆのみ表示）、その２個の下部中間支持部材７ｆの間に小パネル１（中下１）を装着した状態を示した斜視図である。
【００９６】  下部中間支持部材７ｆの係止部７ｆ３を支柱５の上部から断面矢印部９の間の溝状部１１内に挿入しながら、支柱５の軸方向に沿って下側へ降ろしていき、下部中間支持部材７ｆの脚部７ｆ５をカーペットＹの上に載せて、下部中間支持部材７ｆのセットを終わる。
【００９７】  セットされた２個の下部中間支持部材７ｆの間に小パネル１（中下１）の下部を挿入して、小パネル１（中下１）の下側両角部を下部中間支持部材７ｆの小パネル角受け部７ｆ４の上にそれぞれ載せることにより（図２４参照）、小パネル１（中下１）の装着が終了する。
【００９８】  下部中間支持部材７ｆは他の支持部材７ａ〜７ｅとは形状が異なり、倒れ防止部７ｆ１の下部に脚部７ｆ５が連設されている。そのため小パネル１は脚部７ｆ５の高さ分カーペットＹから持ち上がった位置にセットされ、小パネル１とカーペットＹの間には脚部７ｆ５の高さ分の隙間が形成される。
【００９９】  図３７に示すように、小パネル１の裏側には裏板１４が予め設置されているが、その裏板１４の下端部には帯状のアルミニウム薄板などからなる縁とり部材１６が水平方向に固定されており、前述した小パネル１とカーペットＹの間に形成される隙間から縁とり部材１６が見えるようになっている。
【０１００】  この縁とり部材１６は小パネル１とカーペットＹとの境界部を視覚的に区別にして、小パネル１の存在を明確にする機能を有している。本実施形態では縁とり部材１６として光沢のあるアルミニウム薄板を使用したが、ステンレス鋼薄板や着色したプラスチック薄板など他の材料を使用することも可能である。
【０１０１】  図２５は下部左端支持部材７ｇの正面図、図２６はその下部左端支持部材７ｇの側面図、図２７はその下部左端支持部材７ｇの上面図である。
【０１０２】  この下部左端支持部材７ｇは、図２に示す小パネル１（左下１）の倒れを防止するための倒れ防止部７ｇ１と、その倒れ防止部７ｇ１の裏面の右端部から後方に延びた連結部７ｇ２と（図２７参照）、その連結部７ｇ２の後端に取り付けられた上下方向に延びた係止部７ｇ３と、前記連結部７ｇ２の下部から水平方向に延びた小パネル角受け部７ｇ４と、前記倒れ防止部７ｇ１の下部に連設された脚部７ｇ５とから構成されている。
【０１０３】  図３８は、支柱５の下部に下部左端支持部材７ｇをセットして、その下部左端支持部材７ｇの上に、小パネル１（左下１）の左端角部を載せた状態を示した斜視図である。
【０１０４】  下部左端支持部材７ｇの係止部７ｇ３を支柱５の上部から断面矢印部９の間の溝状部１１内に挿入しながら、支柱５の軸方向に沿って下側へ降ろしていき、下部左端支持部材７ｇの脚部７ｇ５をカーペットＹの上に載せて、下部左端支持部材７ｇのセットを終わる。
【０１０５】  この下部左端支持部材７ｇをセットした支柱５の隣の支柱５の下部に下部中間支持部材７ｆがセットされているとすると、下部左端支持部材７ｇと下部中間支持部材７ｆの間に小パネル１（左下１）の下部を挿入して、小パネル１（左下１）の両角部を下部左端支持部材７ｇの小パネル角受け部７ｇ４と下部中間支持部材７ｆの小パネル角受け部７ｆ４の上に載せることにより、小パネル１（左下１）の装着が終了する。
【０１０６】  図２８は下部右端支持部材７ｈの正面図、図２９はその下部右端支持部材７ｈの側面図、図３０はその下部右端支持部材７ｈの上面図である。
【０１０７】  この下部右端支持部材７ｈは、図３に示す小パネル１（右下３）の倒れを防止するための倒れ防止部７ｈ１と、その倒れ防止部７ｈ１の裏面の右端部から後方に延びた連結部７ｈ２と（図３０参照）、その連結部７ｈ２の後端に取り付けられた上下方向に延びた係止部７ｈ３と、前記連結部７ｈ２の下部から水平方向に延びた小パネル角受け部７ｈ４と、前記倒れ防止部７ｈ１から下方向に連設された脚部７ｈ５とから構成されている。
【０１０８】  図３９は、支柱５の下部に下部右端支持部材７ｈをセットして、その下部右端支持部材７ｈの上に、小パネル１（右下３）の右端角部を載せた状態を示した斜視図である。
【０１０９】  下部右端支持部材７ｈの係止部７ｈ３を支柱５の上部から断面矢印部９の間の溝状部１１内に挿入しながら、支柱５の軸方向に沿って下側へ降ろしていき、下部右端支持部材７ｈの脚部７ｈ５をカーペットＹの上に載せて、下部右端支持部材７ｈのセットを終わる。
【０１１０】  この下部右端支持部材７ｈをセットした支柱５の隣の支柱５の下部に下部中間支持部材７ｆがセットされているとすると、下部右端支持部材７ｈと下部中間支持部材７ｆの間に小パネル１（右下３）の下部を挿入して、小パネル１（右下３）の両角部を下部右端支持部材７ｈの小パネル角受け部７ｈ４と下部中間支持部材７ｆの小パネル角受け部７ｆ４の上に載せることにより、小パネル１（右下３）の装着が終了する。
【０１１１】  前述のように本実施形態に係るパネル装置１０は例えば図２に示すように、１段目の小パネル１（左下１）は下部中間支持部材７ｆと下部左端支持部材７ｇによって支持されて、下部中間支持部材７ｆと下部左端支持部材７ｇと中間部中間支持部材７ｄと中間部左端（右端）支持部材７ｅの各倒れ防止部７ｆ１、７ｇ１、７ｄ１、７ｅ１によって倒れ防止がなされる。
【０１１２】  また、２段目の小パネル１（左中１）は１段目の小パネル１（左下１）と中間部中間支持部材７ｄと中間部左端（右端）支持部材７ｅによって支持されて、中間部中間支持部材７ｄと中間部左端（右端）支持部材７ｅの各倒れ防止部７ｄ１、７ｅ１によって倒れ防止がなされる。
【０１１３】  さらに３段目の小パネル１（左上１）は２段目の小パネル１（左中１）によって支持されて、上部中間支持部材７ａと上部左端支持部材７ｂの各倒れ防止部７ａ１、７ｂ１によって倒れ防止がなされることになる。
【０１１４】  他の各段における小パネル１の支持構造ならびに倒れ防止構造も、前述した各小パネル１（左下１、左中１、左上１）と同様である。
【０１１５】  今までのパネル装置１０の構造（構成）の説明はパネル装置１０の上部から下部にかけて行ったが、パネル装置１０の組み立てはそれの下部から上部にかけて順次積み上げるようにして行われる。図４０ならびに図４１は、本発明の実施形態に係るパネル装置１０の組み立て方法を説明するためのフローチャートである。
【０１１６】  ステップ（以下、Ｓと略記する）１：正面パネル部２、左側面パネル部３ならびに右側面パネル部４用の多数本の支柱５を所定の間隔（小パネル１の横幅と略等しい間隔）をおいて配置、立設する。
【０１１７】  Ｓ２：正面パネル部２の各支柱５の下部、左側面パネル部３の左端の支柱５を除く他の支柱５ならびに右側面パネル部４の右端の支柱５を除く他の支柱５の下部に、下部中間支持部材７ｆをセットする。
【０１１８】  Ｓ３：左側面パネル部３の左端の支柱５の下部に下部左端支持部材７ｇをセットし、右側面パネル部４の右端の支柱５の下部に下部右端支持部材７ｈをセットする。
【０１１９】  Ｓ４：セットされた各支持部材７ｆ，７ｇ，７ｈの間に、１段目の小パネル１（中下１〜中下６，左下１〜左下３，右下１〜右下３）の下部を挿入して、各小パネル１の下側両角部を各支持部材７ｆ，７ｇ，７ｈの小パネル角受け部７ｆ４，７ｇ４，７ｈ４の上に載せることにより、１段目の小パネル１の装着を終了し、１段目の小パネル１の下側両角部を各支持部材７ｆ，７ｇ，７ｈの倒れ防止部７ｆ１，７ｇ１，７ｈ１と対向させる。
【０１２０】  Ｓ５：次に正面パネル部２の各支柱５の上部、左側面パネル部３の左端の支柱５を除く他の支柱５、右側面パネル部４の右端の支柱５を除く他の支柱５の上部から中間部中間支持部材７ｄの係止部７ｄ３を挿入し、支柱５に沿って下側に降ろして、中間部中間支持部材７ｄの上下左右仕切部７ｄ５を１段目の小パネル１（中下１〜中下６，左下１〜左下３，右下１〜右下３）の上側角部の上に載せて、中間部中間支持部材７ｄの装着を終了し、１段目の小パネル１の上側角部を中間部中間支持部材７ｄの倒れ防止部７ｄ１と対向させる。
【０１２１】  Ｓ６：左側面パネル部３の左端の支柱５ならびに右側面パネル部４の右端の支柱５の上部から中間部左端（右端）支持部材７ｅの係止部７ｅ３を挿入し、支柱５に沿って下側に降ろして、中間部左端（右端）支持部材７ｅの上下仕切部７ｅ５を１段目の小パネル１（左下１，右下３）の上側角部の上に載せて、中間部左端（右端）支持部材７ｅの装着を終了して、１段目の小パネル１（左下１，右下３）の上側角部を中間部左端（右端）支持部材７ｅの倒れ防止部７ｅ１の下側半分と対向させる。
【０１２２】  Ｓ７：セットされた各支持部材７ｄ，７ｅの間に、２段目の小パネル１（中中１〜中中６，左中１〜左中３，右中１〜右中３）の下部を挿入して、小パネル１の下側両角部を各支持部材７ｄ，７ｅの上下左右仕切部７ｄ５、上下仕切部７ｅ５の上に載せることにより、２段目の小パネル１の装着を終了し、２段目の小パネル１の下側両角部を各支持部材７ｄ，７ｅの倒れ防止部７ｄ１，７ｅ１の上側半分と対向させる。
【０１２３】  Ｓ８：正面パネル部２、左側面パネル部３ならびに右側面パネル部４の左右両端の支柱５を除く他の支柱５の上部から上部中間支持部材７ａの係止部７ａ３を挿入し、支柱５に沿って下側に降ろして、上部中間支持部材７ａの載置部７ａ４を各支柱５の上端部の上に載せて、上部中間支持部材７ａの装着を終了する。
【０１２４】  Ｓ９：左側面パネル部３の左端支柱５の上部から上部左端支持部材７ｂの係止部７ｂ３を挿入し、支柱５に沿って下側に降ろして、上部左端支持部材７ｂの載置部７ｂ４を支柱５の上端部の上に載せて、上部左端支持部材７ｂの装着を終了する。
【０１２５】  また、右側面パネル部４の右端支柱５の上部から上部右端支持部材７ｃの係止部７ｃ３を挿入し、支柱５に沿って下側に降ろして、上部右端支持部材７ｃの載置部７ｃ４を支柱５の上端部の上に載せて、上部右端支持部材７ｃの装着を終了する。
【０１２６】  Ｓ１０：セットされた各支持部材７ａ，７ｂ，７ｃの間に、３段目の小パネル１（中上１〜中上６，左上１〜左上３，右上１〜右上３）の下部を挿入して、３段目の小パネル１の下側端部を２段目の小パネル１の上側端部の上に載せることにより、３段目の小パネル１の装着を終了し、３段目の小パネル１の下側端部を各支持部材７ａ，７ｂ，７ｃの倒れ防止部７ａ１，７ｂ１，７ｃ１と対向させる。
【０１２７】  Ｓ１１：正面パネル部２、左側面パネル部３ならびに右側面パネル部４において、３段目の小パネル１の平面上で隣り合うパネル接合部上端に上側から中間連結部材６ａを嵌めて、小パネル１どうしを連結する。
【０１２８】  Ｓ１２：正面パネル部２と左側面パネル部３のコーナ部ならびに正面パネル部２と右側面パネル部４のコーナ部でのパネル接合部上端に上側からコーナ連結部材６ｂを嵌めて、コーナ部において小パネル１どうしを連結する。
【０１２９】  Ｓ１３：新製品の写真やそれの説明などを印刷した展示シート（図示せず）を、正面パネル部２、左側面パネル部３ならびに右側面パネル部４などの内側面に貼り付け、さらに３段目の小パネル１に形成されている各挿入口１３に照明用のライト（図示せず）を取り付けて、パネル装置１０の組み立てを終了する。
【０１３０】  本実施形態では支柱５と支柱５の間に裏板１４を介在することにより支柱５を所定の間隔に配置したが、他の手段により支柱５を所定の間隔に設置することも可能である。
【０１３１】  本実施形態では図４に示すように、正面パネル部２と左側面パネル部３と右側面パネル部４を組み合わせて、平面形状がコ字形をしたパネル装置１０について説明したが、本発明はこれに限定されるものではなく、例えば正面パネル部と左側面パネル部あるいは正面パネル部と右側面パネル部を組み合わせて平面形状がＬ字形をしたパネル装置、または正面パネル部あるいは左側面パネル部あるいは右側面パネル部の単独からなる平面形状がＩ字形をしたパネル装置などにも適用可能である。
【０１３２】  本実施形態では支柱５の外周部に断面矢印部９からなる係止部を設けたが、断面Ｃ字形や鉤形の係止部など他の形状の係止部を設けることも可能である。
【０１３３】  本発明では、支柱の間で下段小パネル、中段小パネル、上段小パネルと複数段の小パネルを積み上げて１つの平面状パネル部を構成しているから、必要に応じて平面状パネル部を展示場の天井近くまで積み上げることができる。
【０１３４】  そのために、隣の展示スペースの展示物の上端がこちらの展示スペースから見えるようなことが解消されて、パネル表示効果の向上が図れる。
【０１３５】  また本発明では、複数本支柱を立て、支柱の下部に下部支持部材をセットし、下部支持部材の上に下段小パネルを載せ、下段小パネルの上に中間部支持部材をセットし、中間部支持部材の上に中段小パネルを載せ、支柱の上に上部支持部材をセットし、上部支持部材を通して中段小パネルの上に上段小パネルを載せ、上段小パネルの上端角部どうしを連結部材で連結して平面状パネル部を構成している。
【０１３６】  このように支柱を支えとして、下から下部支持部材、下段小パネル、中間部支持部材、中段小パネル、上部支持部材、上段小パネル、連結部材を順次単に積み上げるだけで平面状パネル部を構成しているから、特別なボルトやナットなどの連結部材は必要なく、構造が簡単で、安価で、しかも組み立て易いなどの特長を有している。
【符号の説明】
【０１３７】  １  小パネル
２  正面パネル部
３  左側面パネル部
４  右側面パネル部
５  支柱
６  パネル上端連結部材
６ａ  中間連結部材
６ａ１、６ｂ１  上面部
６ａ２、６ｂ２  垂下部
６ｂ  コーナ連結部材
７  パネル支持部材
７ａ  上部中間支持部材
７ｂ  上部左端支持部材
７ｃ  上部右端支持部材
７ｄ  中間部中間支持部材
７ｅ  中間部左端（右端）支持部材
７ｆ  下部中間支持部材
７ｇ  下部左端支持部材
７ｈ  下部左端支持部材
７ａ１、７ｂ１、７ｃ１、７ｄ１、７ｅ１、７ｆ１、７ｇ１、７ｈ１  倒れ防止部
７ａ２、７ｂ２、７ｃ２、７ｄ２、７ｅ２、７ｆ２、７ｇ２、７ｈ２  連結部
７ａ３、７ｂ３、７ｃ３、７ｄ３、７ｅ３、７ｆ３、７ｇ３、７ｈ３  係止部
７ａ４、７ｂ４、７ｃ４  載置部
７ｄ５  上下左右仕切り部
７ｄ６、７ｅ６  下側収納角部
７ｄ７、７ｅ７  上側収納角部
７ｅ５  上下仕切り部
７ｅ６  下側収納角部
７ｅ７  上側収納角部
７ｆ４、７ｇ４、７ｈ４  小パネル角受け部
７ｆ５、７ｇ５、７ｈ５  脚部
９  断面矢印部
１０  パネル装置
１１  溝状部
１４  裏板
１５  小パネル端部挿通部
１６  縁とり部材
Ｗ  係止部の横幅
Ｇ  支柱の断面矢印部間の間隔
Ｔ  連結部の板厚
Ｌ  載置部の長さ
【図１】
2017110482.tif 000003
【図２】
2017110482.tif 000004
【図３】
2017110482.tif 000005
【図４】
2017110482.tif 000006
【図５】
2017110482.tif 000007
【図６】
2017110482.tif 000008
【図７】
2017110482.tif 000009
【図８】
2017110482.tif 000010
【図９】
2017110482.tif 000011
【図１０】
2017110482.tif 000012
【図１１】
2017110482.tif 000013
【図１２】
2017110482.tif 000014
【図１３】
2017110482.tif 000015
【図１４】
2017110482.tif 000016
【図１５】
2017110482.tif 000017
【図１６】
2017110482.tif 000018
【図１７】
2017110482.tif 000019
【図１８】
2017110482.tif 000020
【図１９】
2017110482.tif 000021
【図２０】
2017110482.tif 000022
【図２１】
2017110482.tif 000023
【図２２】
2017110482.tif 000024
【図２３】
2017110482.tif 000025
【図２４】
2017110482.tif 000026
【図２５】
2017110482.tif 000027
【図２６】
2017110482.tif 000028
【図２７】
2017110482.tif 000029
【図２８】
2017110482.tif 000030
【図２９】
2017110482.tif 000031
【図３０】
2017110482.tif 000032
【図３１】
2017110482.tif 000033
【図３２】
2017110482.tif 000034
【図３３】
2017110482.tif 000035
【図３４】
2017110482.tif 000036
【図３５】
2017110482.tif 000037
【図３６】
2017110482.tif 000038
【図３７】
2017110482.tif 000039
【図３８】
2017110482.tif 000040
【図３９】
2017110482.tif 000041
【図４０】
2017110482.tif 000042
【図４１】
2017110482.tif 000043
【図４２】
2017110482.tif 000044